(57)【要約】      （修正有）【課題】使用時には使い易く、未使用時に薄型収納できる回転蓋付薄型収納折りたたみ印を提供する。【解決手段】四角形の平板台座１に、印又はスタンプの押捺する為の主要先端部７を定着し、平板台座１の両側に軸４と軸５を設け、蓋体２と蓋体３とを回転可動自在に枢着し、未使用時には蓋体２の空間部の中に、台座１および主要先端部７、蓋体３が収納される事で薄型収納を実現し、この時、蓋体３ａに設けられる爪６が蓋体２を引っ掛け、開き防止の役目を果たし、使用時には台座１と蓋体２、および蓋体３とが、凹部３ａと凸部２ａとの組合わせ部付近を頂点とする三角形を成し、両蓋体が印およびスタンプの押捺する為の力の入れ易い摘みとして利用出来、押捺の機能はもとより、ケースを兼ねた薄型収納が出来る。【選択図】図４
0003151566.tif 000002
【実用新案登録請求の範囲】
【請求項１】
硬質性や柔軟性、また浸透性や吸湿性などの特性がある素材で作られた、印やスタンプの主要先端部を、厚みが薄い状態で定着することが出来、且つ、印面が納まる大きさで平面部が四角形からなる平板台座と、この平板台座よりも長大で、薄型で定着した、印やスタンプの主要先端部と平板台座とを共に回転収納し、印面を被覆保護する事ができる空間のある、断面がメス型をした回転蓋と、その回転蓋にオス型で収納される平板台座の、平面積を除いた余白部に整合する形で、左記平板台座と同様にオス型で収納する事が可能な、もう１つの回転蓋からなることを特徴とする回転蓋付き薄型収納折りたたみ印。
【請求項２】
前記の平板台座の厚みを成している一側面とメス型の回転蓋の一端部には、回転が自在となる様に接合する為の軸と部位があり、また、その一側面の反対側の一側面とオス型の回転蓋の一端部にも左記と同様の軸と部位があり、両回転蓋が回転による変形が自在な一平面として、平板台座を介して接合される。こうした構造によりオス型の回転蓋と、薄型の、印やスタンプの主要先端部が定着する平板台座は一平面として、メス型の回転蓋の空間部に収まり、ケースを兼ねた薄型での折りたたみ収納が可能になり、携帯や保管にも便利であることを特徴とする回転蓋付き薄型収納折りたたみ印。
【請求項３】
メス型の回転蓋、およびオス型の回転蓋のそれぞれは、平板台座に設けられたそれぞれの軸を中心に、定着された薄型の、印やスタンプの主要先端部とは逆方向に回転する事が可能で、それぞれを回転させた際、メス型の回転蓋とオス型の回転蓋は、平板台座に対して共に鋭角を形成されるまで回転することが出来る。すると両回転蓋はそれぞれが、軸で接合されていない一端部が接する所で回転が限界となる。これにより出現する接点付近を頂点とし、平板台座を底辺とする三角形が組み立てられ、両回転蓋が押捺の際に必要となる摘みとしての機能を果たすということを特徴とする回転蓋付き薄型収納折りたたみ印。
【考案の詳細な説明】
【技術分野】
【０００１】
本考案は、印やスタンプの押捺に必要な、摘みにあたる部位を回転開閉出来る可動部として設けた上、その可動部を印面の被服保護と薄型に収納可能なケース、兼、摘みとして機能させ、汚れ防止や携帯、整理、保管等にも省スペースが図れる便利な、印やスタンプに関するものである。
【背景技術】
【０００２】
この種の技術に近いものとしては実用新案第３０７８３０３号や特開２００１−２６０５１１があるが、いずれも押捺の際の、安定感のある力の入れ易さという点において、一軸での接合方法や、摘みとしての長さが充分とは言い難く、また収納ケースも別体として保管、携帯される形が取られていた。
【０００３】
一方で、ケースと押捺部を一体化し、収納と押捺を同時に可能とした物として特開２００８−４９６８９があるが、摘みにあたる部位を有していないという形状から、前記と同様に安定感のある力の入れ易さや、印部の見難さによる押捺位置のズレ等が生じるという短所があった。
【０００４】
【特許文献１】実用新案登録第３０７８３０３号
【特許文献２】特開２００１−２６０５１１号
【特許文献３】特開２００８−４９６８９号
【考案の開示】
【考案が解決しようとする課題】
【０００５】
通常、従来型の印やスタンプは、使用する際にその機能や使い勝手を充足するため、多くの物が摘み部から押捺部までが、一体型となった立方体である。これらは、個々に特有な形状であるが故、携帯や保管、整理する際には印面を被覆保護、また汚れ防止等々の意味で、必要に応じて個々にケース等に入れる必要があり、嵩張ってしまう事が常であった。同時に、機能面における押捺の際の、安定感のある力の入れ易さや、上下左右の位置確認の容易さも確保されなければならないという課題があった。
【課題を解決するための手段】
【０００６】
本考案は硬質性や柔軟性、また浸透性や吸湿性などの特性がある素材で作られた印やスタンプの主要先端部を、厚みが薄い状態、且つ、印面全体が定着する事が出来る大きさで、平面部が四角形からなる平板台座と、この平板台座よりも長大で、薄型で定着した、印やスタンプの主要先端部と平板台座とを共に回転収納し、印面を被覆保護する事ができる空間のある、断面がメス型をした回転蓋と、その回転蓋にオス型として収納される平板台座の、平面積を除いた余白部に整合する形で、左記平板台座と同様にオス型で収納する事が可能な、もう１つの回転蓋により構成される。そして、左記平板台座の厚みを成している一側面とメス型の回転蓋の一端部には、回転が自在となる様に接合する為の軸と部位があり、また、その一側面の反対側の一側面とオス型の回転蓋の一端部にも左記と同様の軸と部位があり、両回転蓋が回転による変形が自在な一平面として、平板台座を介して接合される。こうした構造により、オス型の回転蓋と薄型の印が定着する平板台座は、一平面としてメス型の回転蓋の空間部に収まり、ケースを兼ねた薄型での折りたたみ収納が可能になる。一方で、メス型の回転蓋、およびオス型の回転蓋のそれぞれは、平板台座に設けられたそれぞれの軸を中心に、薄型で定着した、印やスタンプの主要先端部とは逆方向に回転する事が可能で、両回転蓋を回転させた際、メス型の回転蓋とオス型の回転蓋は、平板台座に対して共に鋭角を形成されるまで回転することが出来る。すると両回転蓋は、それぞれの軸で接合されていない一端部が接する所で回転が限界となる。これにより出現する接点付近を頂点とし、平板台座を底辺とする三角形が組み立てられ、両回転蓋が押捺機能を容易にする摘みとしての機能を果たす。以上の事から、ケースも兼ねた形で薄型収納と、押捺機能は一体に実現化され、保管や整理の省スペース化を図る事が可能となるのは元より、使用時の際の摘みとしても充分な大きさが確保され、台座が大きくないので押捺時の位置確認も出来、押捺機能の充足、印面の被覆保護、汚れ防止や携帯にも役立ち、前述の欠点を解決しようとするものである。
【考案の効果】
【０００７】
前記の様に、本考案の回転蓋付薄型収納折りたたみ印は、保管や整理に対し、省スペース化に寄与する事はもとより、携帯に際にポケットや財布等に入れても邪魔にならない事から、一般的なものとは異なり、違和感無く常備する事が出来、使用時にも充分な大きさの摘みが提供されるので安定感のある押捺が可能となる。また、ケースも兼ね備えている事により、印面の保護や汚れ防止、さらには、押捺時の容易な位置確認などの効果をもたらす。
【考案を実施するための最良の形態】
【０００８】
以下、添付図を参照し説明する。図2において、四角形の平板台座１に、印またはスタンプの押捺するために刻印された主要先端部7を、厚みの薄い状態で定着させ、その台座の両側に回転機能を満たすために必要な支点となる軸4と軸５を設ける。そして一方の軸4には、蓋兼摘みとして充足されうる形状、および長さの回転蓋2の端部を、回転可動が自在な形で接合させる。この回転蓋２は、断面がコの字型をしており、左記の薄型の、印またはスタンプの押捺するために刻印された主要先端部7、および、それが定着した左記平板台座１を、共にメス型に収納する事が出来る空間部９を有している。そして、もう一方の軸５には、左記メス型の回転蓋２に整合し、且つ、左記平板台座と共に一平面として、オス型に収納可能な蓋兼摘みとなる回転蓋3を回転可動が自在な形で接合させる。こうした構造により、図１の様な薄型での収納が可能となる。また左記オス型の回転蓋３の一部に爪状の部位６を設ける事により、左記メス型の回転蓋２が端部で引っ掛かり、図１の収納状態での開き防止の機能を果たす。さらに左記メス型の回転蓋に凸部2aを、また、左記オス型の回転蓋に、左記凸部に整合する凹部3aを設ける。これらの部位は、図１の収納状態から左記両回転蓋を開く方向に回転させると、回転が限界になると同時に組合わさり、全体としては図４の形となる。図４は押捺使用時の形であるが、回転後に組合わさった左記凸凹部と、左記平板台座の軸4と軸５の３点間に三角形が形成されるという特徴があり、押捺時に左記回転蓋２と回転蓋３が摘みとして利用され、三角形が固定されるので力も入れ易く、安定感のある押捺が可能となる。
【実施例】
【０００９】
以下、添付図面に従って一実施例を説明する。本体素材は耐久性、柔軟性を兼ね備えたプラスチック等の適宜素材を用い、１は、薄型をした、印またはスタンプの押捺するために刻印された主要先端部７を定着させるための平板台座であり、２は回転蓋であり、薄型の、印またはスタンプの押捺するために刻印された主要先端部７を定着する平板台座１を整合収納できる空間部９を有し、軸４を中心に回転可動が自在になるよう設置する。また３も回転蓋であり、軸５を中心に回転可動が自在になるように設置すると同時に、薄型の、印またはスタンプの押捺するために刻印された主要先端部７の定着した平板台座１と共に、一平面として回転蓋２の空間部９に整合し収納出来る形状とする。そして使用時には図４の様に、回転蓋２及び回転蓋３が摘みとして利用される。
【００１０】
未使用時には図１の様に折りたたんだ状態になり、ケースを兼ねた薄型に収納する事が出来、その際、回転蓋３に設けてある爪状の部位６が、もう一方の回転蓋２の先端に引っ掛かる事によって開き防止として機能する。
【００１１】
使用時には図４の様な三角形状へと変化させる事が出来、回転蓋３に設置してある凹部３aと、回転蓋２に設置してある凸部２aとが組合わされる事により、図４の三角形状を保つための機能を果たし、両回転蓋が押捺の際の摘みとして利用される。
【００１２】
回転蓋２にある空間部９には、薄型の、印またはスタンプの押捺するために刻印された主要先端部７に接する形で、取り外し可能な薄型の朱肉やインク等それに類する物が収納出来、使用時には、そのままでの押捺が可能になる。
【００１３】
未使用時の朱肉やスタンプ用液体浸透材が乾燥するのを防ぐため回転蓋２の端部にゴムなどの柔軟、且つ耐久性を備える適材からなる朱肉等乾燥防止用リブ８を設ける。
【００１４】
薄型の印面の素材は、硬質性や柔軟性、または吸湿性の物や、印面にインクが滲み出る浸透性のあるもの等々からなる。
【図面の簡単な説明】
【００１５】
【図１】本考案の薄型収納折りたたみ印の一実施例を示した透過側面図である。
【図２】本考案の収納時の透過平面図である。
【図３】本考案の収納時の底面図である。
【図４】本考案の押捺に使用時の透過側面図である。
【符号の説明】
【００１６】
１    平板台座
２    回転蓋兼摘み
２a   凸部
３    回転蓋兼摘み
３a   凹部
４    軸
５    軸  
６    爪状の部位
７    薄型の、印またはスタンプの押捺するために刻印された主要先端部７
８    朱肉等乾燥防止用リブ
９    空間部
【図１】
0003151566.tif 000003
【図２】
0003151566.tif 000004
【図３】
0003151566.tif 000005
【図４】
0003151566.tif 000006
【手続補正書】
【提出日】平成20年11月21日(2008.11.21)
【手続補正１】
【補正対象書類名】実用新案登録請求の範囲
【補正対象項目名】全文
【補正方法】変更
【補正の内容】
【実用新案登録請求の範囲】
【請求項１】
硬質性や柔軟性、また浸透性や吸湿性などの特性がある素材で作られた、印やスタンプの刻印された主要先端部を、厚みが薄い薄型の状態で定着する事が出来、且つ左記主要先端部の印面が収まる平面積を有し、それを定着する左記平面部が四角形からなる        平板台座と、この平板台座よりも長大で、薄型で定着した、印やスタンプの刻印された主要先端部と左記平板台座とを共に回転収納し、印面を被覆保護する事ができる空間のある、断面がメス型をした回転蓋と、その回転蓋にオス型で収納される左記平板台座の平面積を除いた余白部に整合する形で、左記平板台座と同様にオス型で収納する事が可能な、もう１つの回転蓋からなることを特徴とする回転蓋付き薄型収納折りたたみ印。
【請求項２】
前記の平板台座の厚みを成している一側面と前記メス型の回転蓋の一端部には、回転が自在となる様に接合する為の軸と部位があり、また、その一側面の反対側の一側面と前記オス型の回転蓋の一端部にも左記と同様の軸と部位があり、左記両回転蓋が回転による変形が自在な一平面として、左記平板台座を介して接合される。こうした構造により左記オス型の回転蓋と、薄型の、印やスタンプの刻印された主要先端部が定着する左記平板台座は、一平面として左記メス型の回転蓋の空間部に収まり、メス型の回転蓋がケースを兼ねる事で薄型での折りたたみ収納が可能になり、携帯や保管にも便利であることを特徴とする回転蓋付き薄型収納折りたたみ印。
【請求項３】
前記メス型の回転蓋、および前記オス型の回転蓋のそれぞれは、前記平板台座に設けられたそれぞれの前記軸を中心に、定着された前記薄型の、印やスタンプの刻印された主要先端部とは逆方向に回転する事が可能で、それぞれを回転させた際、左記メス型の回転蓋と左記オス型の回転蓋は、左記平板台座に対して共に鋭角を形成されるまで回転することが出来る。すると左記両回転蓋はそれぞれが、軸で接合されていない側の一端部が接する所で回転が限界となる。これにより出現する接点付近を頂点とし、左記平板台座を底辺とする三角形が組み立てられ、左記両回転蓋が押捺の際に必要となる摘みとしての機能を果たすということを特徴とする回転蓋付き薄型収納折りたたみ印。
【手続補正２】
【補正対象書類名】明細書
【補正対象項目名】全文
【補正方法】変更
【補正の内容】
【考案の詳細な説明】
【技術分野】
【０００１】
本考案は、印やスタンプの押捺に必要な、摘みにあたる部位を回転開閉出来る可動部として設けた上、その可動部を印面の被服保護と薄型に収納可能なケース兼摘みとして機能させ、汚れ防止や携帯、整理、保管等にも省スペースが図れる便利な、印やスタンプに関するものである。
【背景技術】
【０００２】
この種の技術に近いものとしては実用新案第３０７８３０３号や特開２００１−２６０５１１があるが、いずれも押捺の際の、安定感のある力の入れ易さという点において、一軸での接合方法や、摘みとしての長さが充分とは言い難く、また収納ケースも別体として保管、携帯される形が取られていた。
【０００３】
一方で、ケースと押捺部を一体化し、収納と押捺を同時に可能とした物として特開２００８−４９６８９があるが、摘みにあたる部位を有していないという形状から、前記と同様に安定感のある力の入れ易さや、印部の見難さにより押捺位置がずれ易いという短所があった。
【０００４】
【特許文献１】実用新案登録第３０７８３０３号
【特許文献２】特開２００１−２６０５１１号
【特許文献３】特開２００８−４９６８９号
【考案の開示】
【考案が解決しようとする課題】
【０００５】
通常、従来型の印やスタンプは、使用する際にその機能や使い勝手を充足するため、多くの物が摘み部から押捺部までが、一体型となった立方体である。これらは、個々に特有な形状であるが故、携帯や保管、整理する際には印面を被覆保護、また汚れ防止等々の意味で、必要に応じて個々にケース等に入れる必要があり、嵩張ってしまう事が常であった。同時に、機能面における押捺の際の、安定感のある力の入れ易さや、上下左右の位置確認の容易さも確保されなければならないという課題があった。
【課題を解決するための手段】
【０００６】
本考案は硬質性や柔軟性、また浸透性や吸湿性などの特性がある素材で作られた、印やスタンプの刻印された主要先端部を、厚みが薄い薄型の状態で定着する事が出来、且つ左記主要先端部の印面が収まる平面積を有し、それを定着する左記平面部が四角形からなる平板台座と、この平板台座よりも長大で、左記薄型で定着した、印やスタンプの刻印された主要先端部と左記平板台座とを共に回転収納し、印面を被覆保護する事ができる空間のある、断面がメス型をした回転蓋と、その回転蓋にオス型として収納される左記平板台座の平面積を除いた余白部に整合する形で、左記平板台座と同様にオス型で収納する事が可能な、もう１つの回転蓋により構成される。そして、左記平板台座の厚みを成している一側面と左記メス型の回転蓋の一端部には、回転が自在となる様に接合する為の軸と部位があり、また、その一側面の反対側の一側面と左記オス型の回転蓋の一端部にも左記と同様の軸と部位があり、左記両回転蓋が回転による変形が自在な一平面として、左記平板台座を介して接合される。こうした構造により、左記オス型の回転蓋と薄型の、印やスタンプの刻印された主要先端部が定着する左記平板台座は、一平面として左記メス型の回転蓋の空間部に収まり、左記メス型の回転蓋がケースを兼ねる事で薄型での折りたたみ収納が可能になる。一方で、左記メス型の回転蓋、および左記オス型の回転蓋のそれぞれは、左記平板台座に設けられたそれぞれの左記軸を中心に、左記薄型で定着した、印やスタンプの主要先端部とは逆方向に回転する事が可能で、左記両回転蓋を回転させた際、左記メス型の回転蓋と左記オス型の回転蓋は、左記平板台座に対して共に鋭角を形成されるまで回転することが出来る。すると、それら両回転蓋は、それぞれの左記軸で接合されていない一端部が接する所で回転が限界となる。これにより出現する接点付近を頂点とし、左記平板台座を底辺とする三角形が組み立てられ、それら両回転蓋が押捺機能を容易にする摘みとしての機能を果たす。以上の事から、ケースも兼ねた形で薄型収納と、押捺機能は一体に実現化され、保管や整理の省スペース化を図る事が可能となるのは元より、使用時の際の摘みとしても充分な大きさが確保され、台座が大きくないので押捺時の位置確認も出来、押捺機能の充足、印面の被覆保護、汚れ防止や携帯にも役立ち、前述の欠点を解決しようとするものである。
【考案の効果】
【０００７】
前述の様に、本考案の回転蓋付薄型収納折りたたみ印は、保管や整理に対し、省スペース化に寄与する事はもとより、携帯の際にポケットや財布等に入れても邪魔にならない事から、一般的なものとは異なり、違和感無く常備する事が出来、使用時にも充分な大きさの摘みが提供されるので安定感のある押捺が可能となる。また、ケースも兼ね備えている事により、印面の保護や汚れ防止、さらには、薄型の、印やスタンプの主要先端部が定着する平板台座が必要以上に大きくならない事で、押捺時の位置確認が容易に出来る等々の効果をもたらす。
【考案を実施するための最良の形態】
【０００８】
以下、添付図を参照し説明する。図2において、四角形の平板台座１に、印またはスタンプの押捺するために刻印された主要先端部7を、厚みの薄い状態で定着させ、その台座の両側に回転機能を満たすために必要な支点となる軸4と軸５を設ける。そして一方の軸4には、蓋兼摘みとして充足されうる形状、および長さの回転蓋2の端部を、回転可動が自在な形で接合させる。この回転蓋２は、断面がコの字型をしており、左記の薄型の、印またはスタンプの押捺するために刻印された主要先端部7、および、それが定着した左記平板台座１を、共にメス型に収納する事が出来る空間部９を有している。そして、もう一方の軸５には、左記メス型の回転蓋２に整合し、且つ、左記平板台座と共に一平面として、オス型に収納可能な蓋兼摘みとなる回転蓋3を回転可動が自在な形で接合させる。こうした構造により、図１の様な薄型での収納が可能となる。また左記オス型の回転蓋３の一部に爪状の部位６を設ける事により、左記メス型の回転蓋２が端部で引っ掛かり、図１の収納状態での開き防止の機能を果たす。さらに左記メス型の回転蓋に凸部2aを、また、左記オス型の回転蓋に、左記凸部に整合する凹部3aを設ける。これらの部位は、図１の収納状態から左記両回転蓋を開く方向に回転させると、回転が限界になると同時に組合わさり、全体としては図４の形となる。図４は押捺使用時の形であるが、回転後に組合わさった左記凸凹部と、左記平板台座の軸4と軸５の３点間に三角形が形成されるという特徴があり、押捺時に左記回転蓋２と左記回転蓋３が摘みとして利用され、三角形が固定されるので力も入れ易く、安定感のある押捺が可能となる。
【実施例】
【０００９】
以下、添付図面に従って一実施例を説明する。本体素材は耐久性、柔軟性を兼ね備えたプラスチック等の適宜素材を用い、１は、薄型をした、印またはスタンプの押捺するために刻印された主要先端部７を定着させるための平板台座であり、２は回転蓋であり、薄型の、印またはスタンプの押捺するために刻印された主要先端部７を定着する平板台座１を整合収納できる空間部９を有し、軸４を中心に回転可動が自在になるよう設置する。また３も回転蓋であり、軸５を中心に回転可動が自在になるように設置すると同時に、薄型の、印またはスタンプの押捺するために刻印された主要先端部７の定着した平板台座１と共に、一平面として回転蓋２の空間部９に整合し収納出来る形状とする。そして使用時には図４の様に、回転蓋２及び回転蓋３が摘みとして利用される。
【００１０】
未使用時には図１の様に折りたたんだ状態になり、ケースを兼ねた薄型に収納する事が出来、その際、回転蓋３に設けてある爪状の部位６が、もう一方の回転蓋２の先端に引っ掛かる事によって開き防止として機能する。
【００１１】
使用時には図４の様な三角形状へと変化させる事が出来、回転蓋３に設置してある凹部３aと、回転蓋２に設置してある凸部２aとが組合わされる事により、図４の三角形状を保つための機能を果たし、両回転蓋が押捺の際の摘みとして利用される。
【００１２】
回転蓋２にある空間部９には、薄型の、印またはスタンプの押捺するために刻印された主要先端部７に接する形で、取り外し可能な薄型の朱肉やインク等それに類する物が収納出来、使用時には、そのままでの押捺が可能になる。
【００１３】
未使用時の朱肉やスタンプ用液体浸透材が乾燥するのを防ぐため回転蓋２の端部にゴムなどの柔軟、且つ耐久性を備える適材からなる朱肉等乾燥防止用リブ８を設ける。
【００１４】
薄型の印面の素材は、硬質性や柔軟性、または吸湿性の物や、印面にインクが滲み出る浸透性のあるもの等々からなる。
【図面の簡単な説明】
【００１５】
【図１】本考案の薄型収納折りたたみ印の一実施例を示した透過側面図である。
【図２】本考案の収納時の透過平面図である。
【図３】本考案の収納時の底面図である。
【図４】本考案の押捺に使用時の透過側面図である。
【符号の説明】
【００１６】
１    平板台座
２    回転蓋兼摘み
２a   凸部
３    回転蓋兼摘み
３a   凹部
４    軸
５    軸  
６    爪状の部位
７    薄型の、印またはスタンプの、押捺するために刻印された主要先端部
８    朱肉等乾燥防止用リブ
９    空間部
【手続補正書】
【提出日】平成21年4月21日(2009.4.21)
【手続補正１】
【補正対象書類名】実用新案登録請求の範囲
【補正対象項目名】全文
【補正方法】変更
【補正の内容】
【実用新案登録請求の範囲】
【請求項１】
硬質性や柔軟性、また浸透性や吸湿性などの特性がある素材で作られた、印やスタンプの刻印された主要先端部を、厚みが薄い薄型の状態で定着する事が出来、且つ、左記主要先端部の印面が収まる平面積を有し、それを定着する平面部が四角形からなる平板台座と、この平板台座よりも長大で、薄型で定着した、印やスタンプの刻印された主要先端部と左記平板台座とを共に回転収納し、印面を被覆保護する事ができる空間のある、断面がメス型をした回転蓋と、その回転蓋にオス型で収納される左記平板台座の平面積を除いた余白部に整合する形で、左記平板台座と同様にオス型で収納する事が可能な、もう１つの回転蓋からなることを特徴とする回転蓋付き薄型収納折りたたみ印。
【請求項２】
前記平板台座の厚みを成している一側面と前記メス型の回転蓋の一端部には、回転が自在となる様に接合する為の軸と部位があり、また、その平板台座の一側面の反対側の一側面と、前記オス型の回転蓋の一端部にも左記と同様の軸と部位があり、左記両回転蓋が回転による変形が自在な一平面として、左記平板台座を介して左記軸と部位により接合され、こうした構造により左記オス型の回転蓋と、薄型の、印やスタンプの刻印された主要先端部が定着する左記平板台座は一平面として、左記メス型の回転蓋の空間部に収まり、メス型の回転蓋がケースを兼ねる事で薄型での折りたたみ収納が可能になり、携帯や保管にも便利であることを特徴とする請求項１記載の回転蓋付き薄型収納折りたたみ印。